(57)【要約】【課題】  携帯電話の表示部を視認しながら通話する際の秘匿性および操作性を向上することが可能な携帯電話を提供する。【解決手段】  携帯電話は、表示部２を視認せずに通話する第１の使用状態および表示部２を視認しながら通話する第２の使用状態を選択可能であり、第１の使用状態用のマイク４と、第２の使用状態用のスピーカ３とを含む主筐体５１と、第１の使用状態用のスピーカ５と、第２の使用状態用のマイク６と、表示部２とを含む副筐体５２と、主筐体５１および副筐体５２を連結し、かつ、第２の使用状態用のスピーカ３を耳に近接させるとともに第２の使用状態用のマイク６を口に近接させた状態において表示部２を視認しながら通話できるように副筐体５２を移動可能とする可動連結部７とを備える。【選択図】        図１
2006229470.tif 000002
【特許請求の範囲】
【請求項１】
表示部を視認せずに通話する第１の使用状態および前記表示部を視認しながら通話する第２の使用状態を選択可能な携帯電話であって、
前記第１の使用状態用のマイクと、前記第２の使用状態用のスピーカとを含む主筐体と、
前記第１の使用状態用のスピーカと、前記第２の使用状態用のマイクと、前記表示部とを含む副筐体と、
前記主筐体および前記副筐体を連結し、かつ、前記第２の使用状態用のスピーカを耳に近接させるとともに前記第２の使用状態用のマイクを口に近接させた状態において前記表示部を視認しながら通話できるように前記副筐体を移動可能とする可動連結部とを備える携帯電話。
【請求項２】
前記可動連結部は、前記主筐体および前記副筐体を連結し、かつ、前記副筐体を前記主筐体の延長方向に展開させ、かつ、前記展開状態において前記副筐体を回転させることにより、前記第２の使用状態用のスピーカを耳に近接させるとともに前記第２の使用状態用のマイクを口に近接させた状態において前記表示部を視認しながら通話可能とする請求項１記載の携帯電話。
【請求項３】
前記携帯電話は、さらに、
前記第２の使用状態用のスピーカを耳に近接させるとともに前記第２の使用状態用のマイクを口に近接させた状態において前記表示部を視認しながら通話可能となる所定の位置に前記副筐体が移動したことを検出する検出部と、
少なくとも前記検出部の検出結果に基づいて前記第１の使用状態用のマイクおよび前記第１の使用状態用のスピーカを有効にするか、または前記第２の使用状態用のマイクおよび前記第２の使用状態用のスピーカを有効にするかを選択する制御を行なう制御部とを備える請求項１記載の携帯電話。
【請求項４】
前記制御部は、前記所定の位置に前記副筐体が移動した場合には、前記第２の使用状態用のスピーカおよび前記第２の使用状態用のマイクを有効にする制御を行ない、前記所定の位置に前記副筐体が移動していない場合には、前記第１の使用状態用のスピーカおよび前記第１の使用状態用のマイクを有効にする制御を行なう請求項３記載の携帯電話。
【請求項５】
前記制御部は、前記所定の位置に前記副筐体が移動し、かつ、前記携帯電話が所定のデータを送信または受信する場合には、前記第２の使用状態用のスピーカおよび前記第２の使用状態用のマイクを有効にする制御を行ない、前記所定の位置に前記副筐体が移動していない場合または前記携帯電話が所定のデータの送信および受信を行なわない場合には、前記第１の使用状態用のスピーカおよび前記第１の使用状態用のマイクを有効にする制御を行なう請求項３記載の携帯電話。
【請求項６】
前記所定のデータは、テレビ電話用のデータである請求項５記載の携帯電話。
【請求項７】
前記主筐体は、
前記副筐体と重なる上側筐体と、
下側筐体とを含み、
前記携帯電話は、さらに、
前記上側筐体および前記下側筐体を連結し、かつ、前記副筐体が内側になるように前記上側筐体および前記下側筐体を折り畳み可能とする中央ヒンジ部を備える請求項１記載の携帯電話。
【発明の詳細な説明】
【技術分野】
【０００１】
本発明は、携帯電話に関し、特に、形状を変更することが可能な携帯電話に関する。
【背景技術】
【０００２】
近年、携帯電話は、本来の電話機能だけでなくカメラ機能およびテレビ電話機能等が加えられ、多機能化している。
【０００３】
従来の携帯電話では、テレビ電話として使用する等、携帯電話の表示部を視認しながら通話する場合には、ユーザは携帯電話を顔から離し、顔の正面に位置させて通話していた。しかしながら、このような使用状態では口および耳が携帯電話のマイクおよびスピーカから離れるため、口および耳に携帯電話を近接させる通常の使用状態に比べてユーザは発声音量およびスピーカ音量を上げる必要があり、通話の秘匿性が損なわれるという問題点があった。
【０００４】
このような問題点を解決するために、たとえば、特許文献１には以下のような携帯電話が開示されている。すなわち、表示部およびカメラを搭載したユニット（筐体）と、対基地局無線回路および操作部を搭載したユニットとに分割可能な構成としている。このような構成により、携帯電話の表示部を視認しながら通話する際に通話の秘匿性が損なわれることを防ぐことができる。
【特許文献１】特開２００４−１２００５６号公報
【発明の開示】
【発明が解決しようとする課題】
【０００５】
しかしながら、特許文献１記載の携帯電話では、携帯電話をテレビ電話として使用する等、携帯電話の表示部を視認しながら通話する場合には２つの筐体をそれぞれ別の手で保持する必要があるために、操作性が悪いという問題点があった。
【０００６】
それゆえに、本発明の目的は、携帯電話の表示部を視認しながら通話する際の秘匿性および操作性を向上することが可能な携帯電話を提供することである。
【課題を解決するための手段】
【０００７】
上記課題を解決するために、この発明のある局面に係わる携帯電話は、表示部を視認せずに通話する第１の使用状態および表示部を視認しながら通話する第２の使用状態を選択可能な携帯電話であって、第１の使用状態用のマイクと、第２の使用状態用のスピーカとを含む主筐体と、第１の使用状態用のスピーカと、第２の使用状態用のマイクと、表示部とを含む副筐体と、主筐体および副筐体を連結し、かつ、第２の使用状態用のスピーカを耳に近接させるとともに第２の使用状態用のマイクを口に近接させた状態において表示部を視認しながら通話できるように副筐体を移動可能とする可動連結部とを備える。
【０００８】
好ましくは、可動連結部は、主筐体および副筐体を連結し、かつ、副筐体を主筐体の延長方向に展開させ、かつ、展開状態において副筐体を回転させることにより、第２の使用状態用のスピーカを耳に近接させるとともに第２の使用状態用のマイクを口に近接させた状態において表示部を視認しながら通話可能とする。
【０００９】
好ましくは、携帯電話は、さらに、第２の使用状態用のスピーカを耳に近接させるとともに第２の使用状態用のマイクを口に近接させた状態において表示部を視認しながら通話可能となる所定の位置に副筐体が移動したことを検出する検出部と、少なくとも検出部の検出結果に基づいて第１の使用状態用のマイクおよび第１の使用状態用のスピーカを有効にするか、または第２の使用状態用のマイクおよび第２の使用状態用のスピーカを有効にするかを選択する制御を行なう制御部とを備える。
【００１０】
より好ましくは、制御部は、所定の位置に副筐体が移動した場合には、第２の使用状態用のスピーカおよび第２の使用状態用のマイクを有効にする制御を行ない、所定の位置に副筐体が移動していない場合には、第１の使用状態用のスピーカおよび第１の使用状態用のマイクを有効にする制御を行なう。
【００１１】
より好ましくは、制御部は、所定の位置に副筐体が移動し、かつ、携帯電話が所定のデータを送信または受信する場合には、第２の使用状態用のスピーカおよび第２の使用状態用のマイクを有効にする制御を行ない、所定の位置に副筐体が移動していない場合または携帯電話が所定のデータの送信および受信を行なわない場合には、第１の使用状態用のスピーカおよび第１の使用状態用のマイクを有効にする制御を行なう。
【００１２】
より好ましくは、所定のデータは、テレビ電話用のデータである。
【００１３】
好ましくは、主筐体は、副筐体と重なる上側筐体と、下側筐体とを含み、携帯電話は、さらに、上側筐体および下側筐体を連結し、かつ、副筐体が内側になるように上側筐体および下側筐体を折り畳み可能とする中央ヒンジ部を備える。
【発明の効果】
【００１４】
本発明によれば、携帯電話の表示部を視認しながら通話する際の秘匿性および操作性を向上することができる。
【発明を実施するための最良の形態】
【００１５】
以下、本発明の実施の形態について図面を用いて説明する。
【００１６】
図１（ａ）〜（ｅ）は、本発明の実施の形態に係る携帯電話の形状を示す図である。
【００１７】
同図を参照して、携帯電話は、主筐体５１と、副筐体５２と、可動連結部７と、中央ヒンジ部８とを備える。
【００１８】
主筐体５１は、上側筐体４１と、下側筐体４２とを含む。下側筐体４２は、操作部１と、スピーカ３と、マイク４とを含む。副筐体５２は、表示部２と、スピーカ５と、マイク６とを含む。可動連結部７は、回転軸１０を含む。
【００１９】
この携帯電話は折り畳み式であり、同図（ａ）に示す通常の通話用の形状において副筐体５２は主筐体５１の一部である上側筐体４１と重なる。
【００２０】
操作部１および表示部２は、同図（ａ）に示す通常の通話用の形状において同じ方向から視認可能である。
【００２１】
スピーカ３およびマイク４は操作部１と同じ面に配置される。また、スピーカ５およびマイク６は表示部２と同じ面に配置される。
【００２２】
ここで、表示部を視認せずに通話する通常の使用状態では、ユーザは副筐体５２におけるスピーカ５を耳に近接させるとともに下側筐体４２におけるマイク４を口に近接させて通話する。
【００２３】
中央ヒンジ部８は、上側筐体４１および下側筐体４２を連結し、副筐体５２が内側になるように上側筐体４１および下側筐体４２を折り畳み可能とする。
【００２４】
可動連結部７は、上側筐体４１の上端、すなわち上側筐体４１における下側筐体４２との接合部分の反対側の端に配置され、上側筐体４１および副筐体５２を連結する。そして、可動連結部７は、副筐体５２を主筐体５１の延長方向に展開させ、かつ、展開状態において回転軸１０を中心に副筐体５２を回転させる。ここで、主筐体５１および副筐体５２間の信号は、回転軸１０内部の図示しない信号線を介して入出力される。
【００２５】
次に、この携帯電話を通常の通話用からテレビ電話用に用途を変更する場合にユーザが行なう携帯電話の形状の変更について説明する。
【００２６】
まず、同図（ａ）に示す通常の通話用の形状の携帯電話を同図（ｂ）に示すように約１８０度回転させる。次に、同図（ｃ）に示すように可動連結部７を支点として副筐体５２を主筐体５１の延長方向に展開させる。次に、同図（ｄ）に示すように回転軸１０を中心に副筐体５２を回転させる。次に、同図（ｅ）に示すように副筐体５２を約１８０度回転させて再び操作部１および表示部２を同じ方向から視認可能とする。携帯電話の形状をこのように変更することにより、主筐体５１の一部である下側筐体４２におけるスピーカ３を耳に近接させるとともに副筐体５２におけるマイク６を口に近接させた状態において表示部２を視認しながら通話可能となる。
【００２７】
図２は、本発明の実施の形態に係る携帯電話の構成を示す機能ブロック図である。
【００２８】
同図を参照して、携帯電話は、さらに、検出部９と、アンテナ１１と、スイッチ１２と、受信部１３と、送信部１４と、選択部１５と、選択部１６と、制御部１７とを備える。
【００２９】
アンテナ１１は、図示しない無線基地局から受信したＲＦ（Radio Frequency）帯の無線信号をスイッチ１２へ出力する。
【００３０】
スイッチ１２は、アンテナ１１から受けた無線信号を受信部１３へ出力するか、あるいは送信部１４から受けた送信信号をアンテナ１１へ出力するかを図示しない制御信号に応じて切り替える。
【００３１】
受信部１３は、スイッチ１２から受けた無線信号から音声データを抽出して選択部１５へ出力する。また、受信部１３は、抽出した音声データの種別を表わす受信データ情報を制御部１７へ出力する。ここで、受信部１３は、スイッチ１２から受けた無線信号に含まれるデータ識別用のビットフィールドを参照する等の方法により、データ種別を認識することができる。
【００３２】
選択部１５は、制御部１７から受けた選択信号に基づいて、受信部１３から受けた音声データをスピーカ３またはスピーカ５へ出力する。
【００３３】
スピーカ３およびスピーカ５は、選択部１５から受けた音声データを音声に変換して外部へ出力する。
【００３４】
マイク４およびマイク６は、外部から入力した音声を音声データに変換して選択部１６へ出力する。
【００３５】
選択部１６は、制御部１７から受けた選択信号に基づいて、マイク４またはマイク６から受けた音声データを送信部１４へ出力する。
【００３６】
送信部１４は、選択部１６から受けた音声データを送信信号に変換し、スイッチ１２へ出力する。また、送信部１４は、選択部１６から受けた音声データの種別を表わす送信データ情報を制御部１７へ出力する。ここで、送信部１４は、選択部１６から受けた音声データに含まれるデータ識別用のビットフィールドを参照する等の方法により、データ種別を認識することができる。
【００３７】
スイッチ１２は、アンテナ１１から受けた無線信号を受信部１３へ出力するか、あるいは送信部１４から受けた送信信号をアンテナ１１へ出力するかを図示しない制御信号に応じて切り替える。
【００３８】
アンテナ１１は、スイッチ１２から受けた送信信号を無線信号として図示しない無線基地局へ送信する。
【００３９】
検出部９は、下側筐体４２におけるスピーカ３を耳に近接させるとともに副筐体５２におけるマイク６を口に近接させた状態において表示部２を視認しながら通話可能となる位置に副筐体５２が移動したか否かを検出し、検出結果を表わす検出情報を制御部１７へ出力する。ここで、可動連結部７および副筐体５２の接合面が凹凸部を有し、副筐体５２が回転軸１０を中心に所定の角度だけ回転した状態において両者が互いに嵌合することにより、検出部９は、下側筐体４２におけるスピーカ３を耳に近接させるとともに副筐体５２におけるマイク６を口に近接させた状態において表示部２を視認しながら通話可能となる位置に副筐体５２が移動したことを検出する。なお、検出部９は、可動連結部７および副筐体５２の物理的な勘合を検出する構成に限らず、可動連結部７および副筐体５２の電気的な接続を検出する構成とすることもできる。
【００４０】
また、検出部９は、この検出動作を所定の時間間隔で行なう。このような構成により、ユーザが通常の電話として携帯電話を用いて通話している途中でも、ユーザがテレビ電話の通話に切り替えるために携帯電話の形状をテレビ電話用に変更したことを検出することができる。
【００４１】
制御部１７は、検出部９から受けた検出情報、受信部１３から受けた受信データ情報および送信部１４から受けた送信データ情報に基づいて、下側筐体４２および副筐体５２のいずれにおけるスピーカおよびマイクを有効または無効にするかを表わす選択信号を選択部１５および選択部１６へ出力する。
【００４２】
次に、本発明の実施の形態に係る携帯電話がスピーカおよびマイクの操作環境を決定する際の動作について説明する。
【００４３】
図３は、本発明の実施の形態に係る携帯電話の動作手順を定めたフローチャートである。
【００４４】
制御部１７は、受信部１３から受けた受信データ情報または送信部１４から受けた送信データ情報がテレビ電話を表わす場合、すなわち、この携帯電話がテレビ電話用の無線信号を送信または受信する場合であって（Ｓ１でＹＥＳ）、携帯電話が図１（ｅ）に示すような形状になった場合、すなわち、下側筐体４２におけるスピーカ３を耳に近接させるとともに副筐体５２におけるマイク６を口に近接させた状態において表示部２を視認しながら通話可能となる位置に副筐体５２が移動したときには（Ｓ２でＹＥＳ）、下側筐体４２におけるスピーカ３および副筐体５２におけるマイク６を有効にし（Ｓ３）、かつ、下側筐体４２におけるマイク４および副筐体５２におけるスピーカ５を無効にする制御を行なう（Ｓ４）。
【００４５】
ここで、制御部１７は、受信部１３から受けた受信データ情報がテレビ電話を表わす場合、すなわち、この携帯電話がテレビ電話の呼び出し信号を受信した場合には、図示しない制御信号を表示部２へ出力する。そして、表示部２は、制御部１７から図示しない制御信号を受けて、「テレビ電話の着信があります」等のメッセージを表示する。このような構成により、ユーザは携帯電話の着信がテレビ電話の着信であることを認識し、携帯電話の形状を図１（ｅ）に示すような形状、すなわち下側筐体４２におけるスピーカ３を耳に近接させるとともに副筐体５２におけるマイク６を口に近接させた状態において表示部２を視認しながら通話可能となるテレビ電話用の形状に変更することができる。
【００４６】
一方、制御部１７は、受信部１３から受けた受信データ情報および送信部１４から受けた送信データ情報がテレビ電話を表わしていない場合には（Ｓ１でＮＯ）、下側筐体４２におけるマイク４および副筐体５２におけるスピーカ５を有効にし（Ｓ５）、かつ、下側筐体４２におけるスピーカ３および副筐体５２におけるマイク６を無効にする制御を行なう（Ｓ６）。
【００４７】
また、制御部１７は、受信部１３から受けた受信データ情報または送信部１４から受けた送信データ情報がテレビ電話を表わす場合であっても（Ｓ１でＹＥＳ）、携帯電話が図１（ｅ）に示すような形状になっていない場合には（Ｓ２でＮＯ）、下側筐体４２におけるマイク４および副筐体５２におけるスピーカ５を有効にし（Ｓ５）、かつ、下側筐体４２におけるスピーカ３および副筐体５２におけるマイク６を無効にする制御を行なう（Ｓ６）。
【００４８】
したがって、この携帯電話がテレビ電話用のデータを送信または受信する場合であって、かつ、下側筐体４２におけるスピーカ３を耳に近接させるとともに副筐体５２におけるマイク６を口に近接させた状態において表示部２を視認しながら通話可能となる位置に副筐体５２が移動した場合にのみ携帯電話のスピーカおよびマイクの操作環境を通常の電話用からテレビ電話用に変更することにより、むやみに携帯電話の操作環境が切り替わることを防ぐことができる。
【００４９】
ところで、特許文献１記載の携帯電話では、携帯電話をテレビ電話として使用する等、携帯電話の表示部を視認しながら通話する場合には２つの筐体をそれぞれ別の手で保持する必要があるために、操作性が悪いという問題点があった。
【００５０】
しかしながら、本発明の実施の形態に係る携帯電話では、可動連結部７は、上側筐体４１および副筐体５２を連結し、副筐体５２を主筐体５１の延長方向に展開させ、かつ、展開状態において回転軸１０を中心に副筐体５２を回転させる。このような構成により、下側筐体４２におけるスピーカ３を耳に近接させるとともに副筐体５２におけるマイク６を口に近接させた状態において表示部２を視認しながら通話可能となるテレビ電話用の形状に携帯電話の形状を変更することができるため、携帯電話を２つの筐体に分離することなく携帯電話を片手で保持して携帯電話の表示部を視認しながら通話することができる。
【００５１】
また、本発明の実施の形態に係る携帯電話では、制御部１７は、携帯電話をテレビ電話として使用する場合、すなわち、ユーザが下側筐体４２におけるスピーカ３を耳に近接させるとともに副筐体５２におけるマイク６を口に近接させた状態において表示部２を視認しながら通話可能となる形状に携帯電話の形状を変更し、かつ、携帯電話がテレビ電話用の無線信号を送信または受信する場合には、耳に近接させる下側筐体４２におけるスピーカ３および口に近接させる副筐体５２におけるマイク６を有効にする。このような構成により、テレビ電話用の形状で通話をする場合でもユーザは口および耳に携帯電話を近接させることができるため、通常の使用状態と同様に、ユーザは発声音量およびスピーカ音量を上げる必要がない。
【００５２】
以上より、本発明の実施の形態に係る携帯電話では、携帯電話の表示部を視認しながら通話する際の秘匿性および操作性を向上することできる。
【００５３】
さらに、本発明の実施の形態に係る携帯電話では、制御部１７は、携帯電話をテレビ電話として使用する場合には、耳に近接させる下側筐体４２におけるスピーカ３および口に近接させる副筐体５２におけるマイク６を有効にする。一方、携帯電話を通常の電話として使用する場合には、耳に近接させる副筐体５２におけるスピーカ５および口に近接させる下側筐体４２におけるマイク４を有効にする。このような構成により、携帯電話の用途に応じてマイクおよびスピーカの操作環境を適切に変更することができる。
【００５４】
さらに、本発明の実施の形態に係る携帯電話では、中央ヒンジ部８が、上側筐体４１および下側筐体４２を連結し、副筐体５２が内側になるように上側筐体４１および下側筐体４２を折り畳み可能とする。このような構成により、図１（ｅ）に示すように下側筐体４２および上側筐体４１の接合部分ならびに上側筐体４１および副筐体５２の接合部分において携帯電話が折れ曲がり、顔の輪郭に適合した形状となる。したがって、下側筐体４２におけるスピーカ３を耳に近接させて表示部２を視認している状態において副筐体５２におけるマイク６が口に近接し、携帯電話の表示部を視認しながら通話する際の秘匿性をさらに向上することができる。
【００５５】
［変形例］
本発明は、上記実施の形態に限定されるものではなく、たとえば以下の変形例も含まれる。
【００５６】
（１）  操作部１および表示部２
本発明の実施の形態に係る携帯電話では、主筐体５１の一部である下側筐体４２が操作部１を含み、また、副筐体５２が表示部２を含む構成としたが、これに限定するものではない。主筐体５１の一部である下側筐体４２が表示部２を含み、また、副筐体５２が操作部１を含む構成とすることができる。このような構成でも、携帯電話を図１（ｅ）に示すような形状にした場合には、副筐体５２におけるスピーカ５を耳に近接させるとともに下側筐体４２におけるマイク４を口に近接させた状態において下側筐体４２における表示部２が視認可能となるため、携帯電話の表示部を視認しながら通話する際の秘匿性および操作性を向上するという本発明の目的を達成することができる。
【００５７】
（２）  携帯電話の形状
本発明の実施の形態に係る携帯電話は中央ヒンジ部８を含む折り畳み式であるとしたが、これに限定するものではない。中央ヒンジ部８を含まない構成であっても、携帯電話がスライド式、すなわち、可動連結部７が、上側筐体４１および副筐体５２を連結し、副筐体５２を主筐体５１の延長方向にスライドさせる構成であってもよい。また、携帯電話がリボルバー式、すなわち、可動連結部７が、上側筐体４１および副筐体５２を上側筐体４１の上端において連結し、副筐体５２を連結部分を中心として約１８０度回転させる構成であってもよい。これらの構成であれば、下側筐体４２におけるスピーカ３を耳に近接させるとともに副筐体５２におけるマイク６を口に近接させた状態において表示部２を視認しながら通話可能となる位置に副筐体５２を移動させることができるため、携帯電話の表示部を視認しながら通話する際の秘匿性および操作性を向上するという本発明の目的を達成することができる。
【００５８】
（３）  携帯電話の用途
本発明の実施の形態に係る携帯電話では、ユーザが携帯電話をテレビ電話として使用する場合に、耳に近接させる下側筐体４２におけるスピーカ３および口に近接させる副筐体５２におけるマイク６を有効にする構成としたが、テレビ電話としての用途に限定されるものではなく、たとえば、携帯電話でテレビ放送またはストリーミング放送を視聴しながら通話をする場合等、携帯電話の表示部を視認しながら通話する用途であれば本発明を適用することができる。
【００５９】
すなわち、この携帯電話がテレビ放送用またはストリーミング放送用の無線信号を送信または受信する場合であって、下側筐体４２におけるスピーカ３を耳に近接させるとともに副筐体５２におけるマイク６を口に近接させた状態において表示部２を視認しながら通話可能となる位置に副筐体５２が移動したときには、制御部１７は、下側筐体４２におけるスピーカ３および副筐体５２におけるマイク６を有効にし、かつ、下側筐体４２におけるマイク４および副筐体５２におけるスピーカ５を無効にする制御を行なう構成とすることができる。
【００６０】
（４）  スピーカおよびマイクの位置
本発明の実施の形態に係る携帯電話では、スピーカ３およびマイク４は操作部１と同じ面に配置され、また、スピーカ５およびマイク６は表示部２と同じ面に配置される構成としたが、これに限定するものではない。携帯電話をテレビ電話として使用する場合に制御部１７が有効にするスピーカ３を操作部１と反対側の面に配置する構成とすることができる。この場合、可動連結部７は、副筐体５２を主筐体５１の延長方向に１８０度以上展開させることにより、下側筐体４２におけるスピーカ３を耳に近接させるとともに副筐体５２におけるマイク６を口に近接させた状態において表示部２を視認しながら通話可能な状態とする。すなわち、図１（ｃ）に示す携帯電話の形状において、ユーザは下側筐体４２における操作部１の反対側の面におけるスピーカ３を耳に近接させるとともに副筐体５２におけるマイク６を口に近接させることにより、表示部２を視認しながら通話することができる。
【００６１】
（５）  通常の通話用およびテレビ電話用の操作環境を切り替える基準
本発明の実施の形態に係る携帯電話では、制御部１７は、検出部９から受けた検出情報、受信部１３から受けた受信データ情報および送信部１４から受けた送信データ情報に基づいて、下側筐体４２および副筐体５２のいずれにおけるスピーカおよびマイクを有効または無効にするかを表わす選択信号を選択部１５および選択部１６へ出力する構成としたが、これに限定するものではない。制御部１７が、受信部１３から受けた受信データ情報および送信部１４から受けた送信データ情報、または検出部９から受けた検出情報のいずれか一方に基づいて前述の選択信号を出力する構成とすることができる。
【００６２】
（６）  データ種別の認識
本発明の実施の形態に係る携帯電話では、受信部１３は、抽出した音声データの種別を表わす受信データ情報を制御部１７へ出力し、また、送信部１４は、選択部１６から受けた音声データの種別を表わす送信データ情報を制御部１７へ出力する構成としたが、これに限定するものではない。制御部１７が、ユーザの操作部１への操作等に基づいて、携帯電話がテレビ電話用のデータを送信または受信するかどうかを認識する構成とすることができる。
【００６３】
（７）  操作部１の位置
本発明の実施の形態に係る携帯電話では、操作部１は、主筐体５１の一部である下側筐体４２に含まれる構成としたが、これに限定するものではない。たとえば、副筐体５２における表示部２の下、すなわち、副筐体５２の表示部２と同じ面であって上側筐体４１および下側筐体４２の接合部分付近に操作部１が配置される構成とすることができる。また、表示部２と反対側の下側筐体４１の面に操作部１が配置される構成とすることができる。このような構成でも、携帯電話の表示部を視認しながら通話する際の秘匿性および操作性を向上するという本発明の目的を達成することができる。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６５】
【図１】（ａ）〜（ｅ）は、本発明の実施の形態に係る携帯電話の形状を示す図である。
【図２】本発明の実施の形態に係る携帯電話の構成を示す機能ブロック図である。
【図３】本発明の実施の形態に係る携帯電話の動作手順を定めたフローチャートである。
【符号の説明】
【００６６】
１  操作部、２  表示部、３，５  スピーカ、４，６  マイク、７  可動連結部、８  中央ヒンジ部、９  検出部、１０  回転軸、１１  アンテナ、１２  スイッチ、１３  受信部、１４  送信部、１５，１６  選択部、１７  制御部、４１  上側筐体、４２  下側筐体、５１  主筐体、５２  副筐体。
【図１】
2006229470.tif 000003
【図２】
2006229470.tif 000004
【図３】
2006229470.tif 000005